(57)【要約】      （修正有）【課題】外観的に斬新な審美性を有し、また受け皿の不使用化が可能であり、育苗ポットからの植え替えの手間を不要化でき、構造的にシンプルであるため、高騰化や大型化を招来することはないプランターを提供する。【解決手段】プランターは、鉢底から上部開口へ向けて外周壁が上広がりに形成された鉢本体を有し、鉢底から所定水位で水を溜めることができるものとし、育苗ポットをガタツキ無く且つ完全収納可能な容量で形成される。また、鉢底の内部上面には、育苗ポットを浮き床状態で支持可能にする支持台が突設されている。【選択図】図１
0003111375.tif 000002
【実用新案登録請求の範囲】
【請求項１】
蓄光顔料を含有した樹脂材料を素材として形成されていることを特徴とするプランター。
【請求項２】
鉢底（３）から上部開口（４）へ向けて外周壁（５）が上広がりに形成された鉢本体（２）を有しており、この鉢本体（２）は鉢底（３）から所定水位で水を溜めることができると共に、育苗ポット（６）をガタツキ無く且つ完全収納可能な容量で形成され、鉢底（３）の内部上面には育苗ポット（６）を浮き床状態で支持可能にする支持台（１０）が突設されていることを特徴とする請求項１記載のプランター。
【請求項３】
前記鉢底（３）の外部下面には、その外周に沿って筋状に突出する接地用リブ（１１）が設けられていることを特徴とする請求項１又は請求項２記載のプランター。
【考案の詳細な説明】
【技術分野】
【０００１】
本考案は、プランターに関するものである。
【背景技術】
【０００２】
市販されている花や木は、その根部まわりが薄くて軟弱な樹脂製の育苗ポット（ポリポット等と呼称される黒いカップ状のもの）に植えられており、これを購入した後は、人それぞれお気に入りの植木鉢などへ植え替えるのが普通である。
ところで殆どの場合、植木鉢と聞けばそのイメージは素焼き製や陶器製であって円形の鉢底から上部開口へ向けて外周壁が上広がりになった逆円錐台形や、角型又は丸型のお椀形などのものを連想する。最近では樹脂製のプランターも普通に市販されており、その形状もある程度、種々のものがあるが、主流となる形状はやはり逆円錐台形やお椀形等のものが多いようである（例えば、特許文献１等参照）。
【０００３】
またプランターの色に関しても、白、濃紺、うす茶色、ライトグリーンなどがその大半を占めており、いずれも単色で不透明のベタ色であった。
そのため、この種のプランターを屋内へ飾る場合には、洋酒樽を半分に切ったようなバケツ形の化粧箱や、籐又は葦等の天然材料で編んだ化粧籠にプランターをすっぽりと入れて、プランターが見えないようにすることが多い。
なお、プランターを屋内へ飾る場合、灌水した水が鉢底から漏れ出るのを防止するため、プランターの下に樹脂製の受け皿を敷く必要があることは周知である。しかし、この受け皿を用いると水面に埃や虫の死骸などが浮き、また苔やカビが発生しやすいということがあり、見栄えが悪いため、プランターを二重鉢構造などの複雑構造にして受け皿の不使用化を図ったものもあった（例えば、特許文献２等参照）。
【特許文献１】特開２００３−２３５３５９号公報
【特許文献２】特開２００３−６１４７５号公報
【考案の開示】
【考案が解決しようとする課題】
【０００４】
上記したように、従来、根部まわりが育苗ポットに植えられた状態で市販されている花や木を購入した場合、これを植木鉢やプランターへ植え替えなければならないが、この手間が面倒ということがあった。また植え替え後に残される育苗ポットは廃棄することになるが、これが資源の無駄になるということがあった。
プランターは、形状や色にある程度の種類があるといっても斬新性に乏しいことから、プランターに植えた花木を屋内へ飾るには化粧箱や化粧籠は必須と言うも過言ではなく、そのため徒に場所を取るとか、化粧箱や化粧籠を用意するときにコストが発生するなどの問題があった。
【０００５】
受け皿については、上記のように埃、虫、苔、カビなどを原因として見栄えが悪くなる問題があり、またこれを不使用とするうえでプランター側で二重鉢構造などを採用すれば、プランター自体が相当に高価となり、そのうえ大型化するので一輪挿しなどのこじんまりとした花木には向かない等々の問題があった。
本考案は、上記事情に鑑みてなされたものであって、外観的に斬新となる審美性を持たせ、また受け皿の不使用化を可能とすることで、育苗ポットからの植え替えの手間を不要化でき、また構造的にシンプルで高騰化や大型化を招来することのないプランターを提供することを目的とする。
【課題を解決するための手段】
【０００６】
前記目的を達成するために、本考案は次の手段を講じた。
即ち、本考案に係るプランターは、蓄光顔料を含有した樹脂材料を素材として形成されている。
そのため、このプランターを置いた場所で照明を落としたとき、その後の暗闇中でこのプランターがほのかな明りを演出する。場合によっては、このプランターから発した光が当該プランターに植えられた花木やまわりの棚面、周辺物（人形やガラス製オブジェ等）をもぼんやりと照らし出し、幻想的な雰囲気を醸し出すようになって、とても審美的となる。このようなことから、このプランターを化粧箱や化粧籠へ入れる必要はない。
【０００７】
本考案に係るプランターは、鉢底から上部開口へ向けて外周壁が上広がりに形成された鉢本体を有したものとしてもよい。
この場合、鉢本体は、鉢底から所定水位で水を溜めることができるものとすると共に、育苗ポットをガタツキ無く且つ完全収納可能な容量で形成されたものとする。また、鉢底の内部上面には、育苗ポットを浮き床状態で支持可能にする支持台が突設されたものとすることができる。
このような鉢本体にすれば、購入してきた花木を育苗ポットごと、このプランターへ嵌め入れるだけでよい。すなわち、植え替えの手間が不要となる。また、鉢底に水を溜めることができるので、花木に対して灌水した水は鉢本体内の鉢底で溜められ、外からは見えない。そのため、苔やカビによって見栄えが悪くなることはなく、また埃や虫が水面を漂うようなことはないし、万が一あったとしても、やはり外から見えないことで見栄えの低下には繋がらない。
【０００８】
鉢底の外部下面には、その外周に沿って筋状に突出する接地用リブを設けておくのが好適である。
このような接地用リブは、接地面積が小さいわりに、樹脂成形時の成形誤差等に影響され難く、安定載置が可能となっている。そのため、屋内へ飾るのに適したものである。
【考案の効果】
【０００９】
本考案に係るプランターは、外観的に斬新な審美性を有し、また受け皿の不使用化が可能であり、育苗ポットからの植え替えの手間を不要化できる。また構造的にシンプルであるため、高騰化や大型化を招来することはない。
【考案を実施するための最良の形態】
【００１０】
以下、本考案の実施の形態を、図面に基づき説明する。
図１乃至図４は、本考案に係るプランター１の第１実施形態を示している。このプランター１は樹脂製である。このプランター１の鉢本体２は有底であり、この鉢底３から上部開口４へ向けて外周壁５が上広がりに形成されている。図例では鉢底３が円形を呈したものとしてある。
鉢本体２は、その内部に育苗ポット６（市販の花や木の根部を保護するポリポット等と呼称される黒いカップ状のもの）を、ガタツキ無く且つ完全収納できる容量で形成されている。
【００１１】
鉢底３には内外を貫通する孔は設けられておらず、従ってこの鉢底３には所定水位で水を溜めることができる。
鉢底３の内部上面には支持台１０が突設されている。この支持台１０が設けられているため、鉢本体２内へ育苗ポット６を嵌め入れたとき、この育苗ポット６は浮き床状態（鉢底３上面から浮き上がった状態）で支持されるものとなる。この支持台１０の形状や形成数、配置などは特に限定されるものではなく、図例では、平面視形状が三つ又状を呈する三つの起立片としてある。
【００１２】
図３及び図４に示すように、鉢底３の外部下面には接地用リブ１１が設けられている。このリブ１１は筋状に突出するものとされており、鉢底３の外周に沿って円弧状に形成されている。なお、針底３の外部下面全周を取り囲むのではなく、少なくとも１カ所（図例では３カ所）に分断部１２が形成されている。この分断部１２があるため、万が一、このプランター１を置こうとする面に水溜まりができていたとしても、簡単に水抜きができ、プランター１の載置安定性を図ることができる。
外周壁５は、上部開口４のまわりを取り囲む部分に比べて、そのやや下側となる部分の方が外径が大きくなるように、外周面に外膨らみのカーブ面が形成されている。すなわち、図１に示したように鉢底３のまわりの外径をｄ１、上部開口４のまわりの外径をｄ２とおき、この上部開口４まわり（ｄ２位置）のやや下側であって、上記のように外膨らみのカーブ面が形成された部分（以下、「外カーブ面部５ａ」と言う）の外径をｄ３とおくと、ｄ１＜ｄ２＜ｄ３の関係が成り立つようになっている。
【００１３】
図２に示すように、この外カーブ面部５ａの肉厚ｔ１は、それ以外の部分の肉厚ｔ２に比べて厚肉になるように形成されている。この厚肉化は、外カーブ面部５ａで最も厚肉となるものとして、鉢底３から外カーブ面部５ａに近くなるほど、徐々に厚肉化する傾向とされている。また上部開口４から外カーブ面部５ａに近くなるほど、徐々に厚肉化する傾向とされている。そのため、外周壁５はこの厚肉化傾向に伴ってカーブ面部５ａを最強として、全体的に強度が強化されている。
このプランター１の成形素材とされた樹脂材料には透明乃至着色透明のものが用いられている。着色透明には半透明を含むものとする。またこの樹脂材料には蓄光顔料が含有されている。
【００１４】
そのためこのプランター１の鉢本体２において、外周壁５は鉢底３に近い部分では透明又は着色透明でシースルーとなっているが、外カーブ面部５ａに近づけば近づくほど、その厚肉化傾向に比例して透明度が徐々に低下し（不透明化してゆき）、外カーブ面部５ａでは完全又は略、不透明な状態になっている。そして、この透明度の低下傾向が、上記したような外周壁５の厚肉化傾向と比例することでグラデーション化されている。
鉢底３に設けられた支持台１０の高さは、その上に育苗ポット６を載せたときに、育苗ポット６の上縁部が外カーブ面部５ａのレベルに届くような寸法に形成されている。
【００１５】
以上詳説したところから明らかなように、このプランター１を使用すると以下のような利点が得られる。
まず、鉢底３の外部下面に接地用リブ１１があるために安定載置が可能で、屋内へ飾るのに適している。また、このプランター１には購入してきた花木を育苗ポット６ごと嵌め入れることができるので、植え替えの手間が不要になる。
なお、育苗ポット６を嵌める前に直接に鉢底３へ水を注いだり、或いは育苗ポット６を嵌めた後に灌水したりして、鉢本体２内へ所定水位で水を溜めるようにするが、この水を育苗ポット６内へ浸透させ、花木へ給水させるために、育苗ポット６の底部へ吸水スティック１５（図２参照）を突き刺し、その下端部が水に浸かるようにしておく。
【００１６】
外周壁５には外膨らみのカーブ面が設けられているため、看者に対して丸みを強調させた優しい印象を与えることができるため、大衆に受け入れられやすい。また外周壁５は、外カーブ面部５ａによって重厚なイメージが得られ、またこの部分は強度が強くて把持時にも凹んだり撓んだりしないので、安っぽさを払拭できる。
育苗ポット６の上縁部が、外周壁５における外カーブ面部５ａによって視角遮断され、育苗ポット６に付着した土や苔などは外から見えず、また育苗ポット６の上縁部の波打ち等も見えないので体裁がよい。なお、育苗ポット６の外周面は外周壁５のバックグランドの色として有効に利用され、外周壁５の重厚イメージが一層、際だつものとなる。
【００１７】
鉢底３に水を溜めることができるので、埃、虫、苔、カビ等によって見栄えが悪くなることはない。
蓄光材料が含有されていることで、このプランター１を置いた場所で照明を落としたとき、その後の暗闇中でこのプランター１がほのかな明りを演出する。場合によっては、このプランター１から発した光が当該プランター１に植えられた花木やまわりの棚面、周辺物（人形やガラス製オブジェ、或いは屋内の壁面等）をもぼんやりと照らし出し、幻想的な雰囲気を醸し出すようになって、とても審美的となる。プランター１を階段や廊下などへ置けば、夜間の足元照明としても使用できる。
【００１８】
これらのことから、このプランター１を化粧箱や化粧籠へ入れる必要はない。
ところで、本考案は、上記実施形態に限定されるものではなく、実施の形態に応じて適宜変更可能である。
図５に、本考案の第２実施形態を示すように、鉢本体２は、コップ形など、各種の形状に形成することも可能である。
例えば、鉢底３が水を溜められる構造であることや鉢底３に支持台１０を設けることなどは限定されるものではなく、水抜き用、通気用の孔を設けてもよい。すなわち、鉢本体２内へ育苗ポット６を介さずに直接に土を入れて花木を植えることも可能である。そのため、鉢本体２の大きさ（容量）についても、必ずしも育苗ポット６を基準に決定する必要はない。
【００１９】
形成材料として透明乃至着色透明の樹脂とする点や、蓄光顔料を含ませる点なども、常に限定されるものではなく、必要に応じて、不透明樹脂に蓄光顔料を含ませたもの、透明乃至着色透明の樹脂で蓄光顔料を含まないもの、場合によっては不透明樹脂で且つ蓄光顔料も含まないもの、などを使い分けることができる。
言うまでもなく、このプランター１の使用場所は屋内に限定されず屋外としてもよい。
【図面の簡単な説明】
【００２０】
【図１】本考案に係るプランターの第１実施形態を示した斜視図である。
【図２】図１のプランターに育苗ポットを介して花を植えた（育苗ポットを嵌め入れた）状況を示した側断面図である。
【図３】図１のプランターの底面図である。
【図４】図３のＡ−Ａ線拡大断面図である。
【図５】本考案に係るプランターの第２実施形態を示した斜視図である。
【符号の説明】
【００２１】
１  プランター
２  鉢本体
３  鉢底
４  上部開口
５  外周壁
５ａ  外膨らみのカーブ面が設けられた部分
６  育苗ポット
１０  支持台
１１  リブ
【図１】
0003111375.tif 000003
【図２】
0003111375.tif 000004
【図３】
0003111375.tif 000005
【図４】
0003111375.tif 000006
【図５】
0003111375.tif 000007
【手続補正書】
【提出日】平成17年1月6日(2005.1.6)
【手続補正１】
【補正対象書類名】実用新案登録請求の範囲
【補正対象項目名】全文
【補正方法】変更
【補正の内容】
【実用新案登録請求の範囲】
【請求項１】
鉢底（３）から上部開口（４）へ向けて外周壁（５）が上広がりに形成された鉢本体（２）を有し、該鉢本体（２）が、蓄光顔料を含有した樹脂材料を素材として形成されていることを特徴とするプランター。
【請求項２】
鉢底（３）から上部開口（４）へ向けて外周壁（５）が上広がりに形成された鉢本体（２）を有しており、この鉢本体（２）は鉢底（３）から所定水位で水を溜めることができると共に、育苗ポット（６）をガタツキ無く且つ完全収納可能な容量で形成され、鉢底（３）の内部上面には育苗ポット（６）を浮き床状態で支持可能にする支持台（１０）が突設されていることを特徴とする請求項１記載のプランター。
【請求項３】
前記鉢底（３）の外部下面には、その外周に沿って筋状に突出する接地用リブ（１１）が設けられていることを特徴とする請求項１又は請求項２記載のプランター。